(57)【要約】【課題】複数の貨幣収納部を有する場合に、特定の用途に使用される貨幣を優先的かつ効率的に貨幣収納部内に確保することを課題とする。【解決手段】２００枚の貨幣を一時保留部ａに保留させ、この一時保留部ａ内の貨幣を貨幣カセットＡに自動移行させる。その後、あらためて１００枚の貨幣を一時保留部ａに保留させ、５０枚の貨幣を一時保留部ｂに保留させる。そして、一時保留部ａの１００枚の貨幣を貨幣カセットＡに自動移行させるとともに、一時保留部ｂの５０枚の貨幣を貨幣カセットＢに自動移行させる。【選択図】図１
2018010534.tif 000002
【特許請求の範囲】
【請求項１】
特定の用途に使用される特定の貨幣収納部を含む複数の貨幣収納部と、
各貨幣収納部に対応して設けられ、所定の貨幣投入口から投入された貨幣を一時的に保留する複数の一時保留部と、
あらかじめ前記特定の貨幣収納部に設定された所定の数量に達するまでは、前記貨幣投入口から投入された貨幣の一部又は全部を前記特定の貨幣収納部に対応する特定の一時保留部へ優先的に一時保留させ、該特定の一時保留部から前記特定の貨幣収納部へ自動移行させる処理を繰り返すよう制御する制御部と
を備えたことを特徴とする貨幣入金機。
【請求項２】
貨幣の用途に応じてそれぞれ設定された複数の貨幣収納部と、
各貨幣収納部に対応して設けられ、所定の貨幣投入口から投入された貨幣を一時的に保留する複数の一時保留部と、
特定の用途に用いられる特定の貨幣収納部に収納された貨幣の数量と、該特定の貨幣収納部に対応する特定の一時保留部に保留された貨幣の数量との合計数量が予め設定された第１の数量に達するまでは、前記貨幣投入口から投入された貨幣の一部又は全部について前記特定の一時保留部を介して前記特定の貨幣収納部に収納させ、前記合計数量が前記第１の数量に達したならば、前記貨幣投入口から投入された貨幣の一部又は全部を他の一時保留部を介して他の貨幣収納部に収納させるよう制御する制御部と
を備えたことを特徴とする貨幣入金機。
【請求項３】
前記制御部は、
前記特定の一時保留部に保留した貨幣が予め設定された第２の数量に達したならば、前記特定の一時保留部に保留された貨幣を前記特定の貨幣収納部に自動移行させ、前記特定の一時保留部による新たな貨幣の収納を可能とする
ことを特徴とする請求項２に記載の貨幣入金機。
【請求項４】
前記制御部は、
所定の切換操作を受け付けたならば、前記貨幣投入口から投入された貨幣のうち、前記第２の数量の貨幣を前記特定の一時保留部に保留させた後、該第２の数量を超える貨幣を他の一時保留部に保留するよう制御する
ことを特徴とする請求項３に記載の貨幣入金機。
【請求項５】
前記複数の一時保留部のうち貨幣の保留を優先する一時保留部を切り換える切換部をさらに備えたことを特徴とする請求項２、３又は４に記載の貨幣入金機。
【請求項６】
前記特定の貨幣収納部は、
前記複数の貨幣収納部のうちの自装置が設置された店舗における店舗用資金を収納する貨幣収納部又は警送会社によって警備回収される売上金を収納する貨幣収納部である
ことを特徴とする請求項１乃至５のいずれか１項に記載の貨幣入金機。
【請求項７】
所定の貨幣投入口から投入された貨幣を一時的に保留する一時保留部と、
前記一時保留部に保留された貨幣を収納する貨幣収納部と、
前記貨幣収納部に収納された貨幣の数量と前記一時保留部に保留された貨幣の数量との合計数量が所定の数量に達するまでは、前記貨幣投入口から投入された貨幣の一部又は全部について前記一時保留部に保留し、該一時保留部に保留された貨幣が所定の数量に達したならば、前記一時保留部に保留した貨幣を前記貨幣収納部に自動移行させるよう制御する制御部と
を備えたことを特徴とする貨幣入金機。
【請求項８】
貨幣の用途に応じてそれぞれ設定された複数の貨幣収納部と、各貨幣収納部に対応して設けられ、所定の貨幣投入口から投入された貨幣を一時的に保留する複数の一時保留部とを有する貨幣入金機における貨幣入金方法であって、
特定の用途に用いられる特定の貨幣収納部に収納された貨幣の数量と、該特定の貨幣収納部に対応する特定の一時保留部に保留された貨幣の数量との合計数量が所定の数量に達するまでは、前記貨幣投入口から投入された貨幣の一部又は全部について前記特定の一時保留部を介して前記特定の貨幣収納部に収納させる工程と、
前記合計数量が前記所定の数量に達したならば、前記貨幣投入口から投入された貨幣の一部又は全部を他の一時保留部を介して他の貨幣収納部に収納させる工程と
を含んだことを特徴とする貨幣入金方法。
【発明の詳細な説明】
【技術分野】
【０００１】
本発明は、複数の貨幣収納部を有する場合に、特定の用途に使用される貨幣を優先的かつ効率的に確保することができる貨幣入金機及び貨幣入金方法に関する。
【背景技術】
【０００２】
従来、スーパーマーケットや百貨店等の商業施設には、店舗内の各レジの売上金を入金する「貨幣入金機」と呼ばれる貨幣処理装置が配設されることが多い。例えば、特許文献１には、２つの一時保留部と、各一時保留部にそれぞれ対応する２つの貨幣収納部とを設け、貨幣を一時保留部に一時保留した状態で操作員による所定の承認操作がなされると、一時保留部内の貨幣を該一時保留部に対応する収納部に移行させる構成が開示されている。
【０００３】
ここで、この特許文献１によれば、２つの貨幣収納部の一方の貨幣収納部Ｂを警送業者によって貨幣を回収する警備回収用の用途に利用し、他方の貨幣収納部Ａを釣銭準備金などの店舗用資金としての用途に利用することができる。
【０００４】
例えば、２つの一時保留部（一時保留部ａ及び一時保留部ｂ）に収納できる上限枚数が２００枚であり、３５０枚の貨幣を貨幣入金機に投入された場合には、まず貨幣収納部Ａに対応する一時保留部ａに２００枚の貨幣が一時保留され、残余の１５０枚の貨幣が貨幣収納部Ｂに対応する一時保留部ｂに一時保留される。投入された貨幣を迅速に機内に取り込むためである。この状態で、操作員による所定の収納操作がなされたならば、一時保留部ａに収納した２００枚の貨幣が店舗資金用の貨幣収納部Ａに移行され、一時保留部ｂに収納した１５０枚の貨幣が警備回収用の貨幣収納部Ｂに移行されることになる。
【先行技術文献】
【特許文献】
【０００５】
【特許文献１】特開２０１５−７２５２１号公報
【発明の概要】
【発明が解決しようとする課題】
【０００６】
しかしながら、上記特許文献１によれば、店舗用資金が３００枚に設定されている場合に、店舗資金用の貨幣収納部Ａに２００枚の貨幣しか収納されないため、その後に貨幣が貨幣入金機に入金されない場合には、店舗用資金以上の貨幣（３５０枚）を入金したのにも係わらず、貨幣収納部Ｂに収納された１５０枚の貨幣が警備回収されてしまい、結果的に店舗用資金の不足を招くという問題がある。このため、各店舗では、警送会社に対して不足分の貨幣（１００枚）を再配送するよう要請しなければならないために効率ではなく、再配送に伴うコスト増を招くという問題も生ずる。
【０００７】
なお、操作員の手作業により、警備回収用の貨幣収納部Ｂに収納された１５０枚の貨幣の一部を貨幣収納部Ａに移行させる案も考えられるが、操作員が警備回収用の貨幣収納部Ｂ内の貨幣に触れられるようにすることは、セキュリティ確保の観点から望ましくない。
【０００８】
また、上記一連の説明では、店舗用資金の確保を優先する場合を示したが、警備回収を優先して残余を店舗用資金として貨幣収納部Ａに収納させる場合にも、同様の理由から、警備回収すべき貨幣の一部が店舗用資金として貨幣収納部Ａに収納されてしまうという問題が生ずる。
【０００９】
本発明は、上記従来技術の課題を解決するためになされたものであって、複数の貨幣収納部を有する場合に、特定の用途に使用される貨幣を優先的かつ効率的に貨幣収納部内に確保することができる貨幣入金機及び貨幣入金方法を提供することを目的とする。
【課題を解決するための手段】
【００１０】
上記の課題を解決するため、本発明は、特定の用途に使用される特定の貨幣収納部を含む複数の貨幣収納部と、各貨幣収納部に対応して設けられ、所定の貨幣投入口から投入された貨幣を一時的に保留する複数の一時保留部と、あらかじめ前記特定の貨幣収納部に設定された所定の数量に達するまでは、前記貨幣投入口から投入された貨幣の一部又は全部を前記特定の貨幣収納部に対応する特定の一時保留部へ優先的に一時保留させ、該特定の一時保留部から前記特定の貨幣収納部へ自動移行させる処理を繰り返すよう制御する制御部とを備えたことを特徴とする。
【００１１】
また、本発明は、貨幣の用途に応じてそれぞれ設定された複数の貨幣収納部と、各貨幣収納部に対応して設けられ、所定の貨幣投入口から投入された貨幣を一時的に保留する複数の一時保留部と、特定の用途に用いられる特定の貨幣収納部に収納された貨幣の数量と、該特定の貨幣収納部に対応する特定の一時保留部に保留された貨幣の数量との合計数量が予め設定された第１の数量に達するまでは、前記貨幣投入口から投入された貨幣の一部又は全部について前記特定の一時保留部を介して前記特定の貨幣収納部に収納させ、前記合計数量が前記第１の数量に達したならば、前記貨幣投入口から投入された貨幣の一部又は全部を他の一時保留部を介して他の貨幣収納部に収納させるよう制御する制御部とを備えたことを特徴とする。
【００１２】
また、本発明は、上記の発明において、前記制御部は、前記特定の一時保留部に保留した貨幣が予め設定された第２の数量に達したならば、前記特定の一時保留部に保留された貨幣を前記特定の貨幣収納部に自動移行させ、前記特定の一時保留部による新たな貨幣の収納を可能とすることを特徴とする。
【００１３】
また、本発明は、上記の発明において、前記制御部は、所定の切換操作を受け付けたならば、前記貨幣投入口から投入された貨幣のうち、前記第２の数量の貨幣を前記特定の一時保留部に保留させた後、該第２の数量を超える貨幣を他の一時保留部に保留するよう制御することを特徴とする。
【００１４】
また、本発明は、上記の発明において、前記複数の一時保留部のうち貨幣の保留を優先する一時保留部を切り換える切換部をさらに備えたことを特徴とする。
【００１５】
また、本発明は、上記の発明において、前記特定の貨幣収納部は、前記複数の貨幣収納部のうちの自装置が設置された店舗における店舗用資金を収納する貨幣収納部又は警送会社によって警備回収される売上金を収納する貨幣収納部であることを特徴とする。
【００１６】
また、本発明は、所定の貨幣投入口から投入された貨幣を一時的に保留する一時保留部と、前記一時保留部に保留された貨幣を収納する貨幣収納部と、前記貨幣収納部に収納された貨幣の数量と前記一時保留部に保留された貨幣の数量との合計数量が所定の数量に達するまでは、前記貨幣投入口から投入された貨幣の一部又は全部について前記一時保留部に保留し、該一時保留部に保留された貨幣が所定の数量に達したならば、前記一時保留部に保留した貨幣を前記貨幣収納部に自動移行させるよう制御する制御部とを備えたことを特徴とする。
【００１７】
また、本発明は、貨幣の用途に応じてそれぞれ設定された複数の貨幣収納部と、各貨幣収納部に対応して設けられ、所定の貨幣投入口から投入された貨幣を一時的に保留する複数の一時保留部とを有する貨幣入金機における貨幣入金方法であって、特定の用途に用いられる特定の貨幣収納部に収納された貨幣の数量と、該特定の貨幣収納部に対応する特定の一時保留部に保留された貨幣の数量との合計数量が所定の数量に達するまでは、前記貨幣投入口から投入された貨幣の一部又は全部について前記特定の一時保留部を介して前記特定の貨幣収納部に収納させる工程と、前記合計数量が前記所定の数量に達したならば、前記貨幣投入口から投入された貨幣の一部又は全部を他の一時保留部を介して他の貨幣収納部に収納させる工程とを含んだことを特徴とする。
【発明の効果】
【００１８】
本発明によれば、複数の貨幣収納部を有する場合に、特定の用途に使用される貨幣を優先的かつ効率的に貨幣収納部内に確保することが可能となる。
【図面の簡単な説明】
【００１９】
【図１】図１は、本発明に係る貨幣入金機の概念を説明するための説明図である。
【図２】図２は、本実施例に係る売上金入金機の外観構成を示す斜視図である。
【図３】図３は、図２に示した売上金入金機の計数画面の一例を示す図である。
【図４】図４は、図２に示した売上金入金機の内部構成を示す図である。
【図５】図５は、図２に示した売上金入金機の機能ブロック図である。
【図６】図６は、図２に示した売上金入金機の処理手順を示すフローチャートである。
【図７】図７は、図６のステップＳ１０５に示した貨幣収納処理手順を示すフローチャートである。
【発明を実施するための形態】
【００２０】
以下に、添付図面を参照して、本発明に係る貨幣入金機及び貨幣入金方法の実施例を説明する。
【００２１】
＜本発明に係る貨幣入金機の概念＞
まず、本発明に係る貨幣入金機の概念について説明する。ここでは、２つの一時保留部ａ，ｂと２つの貨幣カセット（貨幣収納部）Ａ，Ｂとを有する場合を示している。図１は、本発明に係る貨幣入金機の概念を説明するための説明図である。
【００２２】
本発明が対象とする貨幣入金機には、複数の貨幣カセットＡ，Ｂが着脱可能に設けられており、売上金として入金された貨幣は、貨幣カセットＡと貨幣カセットＢとに収納される。ここでは、貨幣カセットＡには、釣銭補充金を含む店舗用資金が収納され、貨幣カセットＢには、警備会社等の回収担当者によって回収される警備回収用資金が収納されるよう設定されているものとする。また、貨幣カセットＡに対応して一時保留部ａが設けられ、貨幣カセットＢに対応して一時保留部ｂが設けられているものとする。ここでは、一時保留部ａ，ｂには２００枚の貨幣が保留することができ、３５０枚の貨幣が貨幣投入口から投入されるものとする。
【００２３】
図１（ａ）に示すように、従来の貨幣入金機では、貨幣投入口に３５０枚の貨幣が投入されたならば、そのうち２００枚の貨幣が一時保留部ａに保留され、１５０枚の貨幣が一時保留部ｂに保留される。貨幣投入口に投入された貨幣を迅速に処理するためである。そして、操作員によって所定の操作がなされたならば、一時保留部ａ内の２００枚の貨幣が貨幣カセットＡに移行され、一時保留部ｂ内の１５０枚の貨幣が貨幣カセットＢに移行される。これにより、所定の時刻になると、警備会社等の回収担当者によって貨幣カセットＢが貨幣入金機から取り外され、現金センタに警備回収される。
【００２４】
しかしながら、店舗によっては、一定枚数の貨幣を店舗用資金として確保しておき、釣銭などの用途に利用したい場合がある。例えば、３００枚の貨幣を店舗用資金として確保しておきたい場合に、上記の例において、この時点以降に売上金の入金が行われない場合には、１５０枚の貨幣が警備回収されてしまい、２００枚の貨幣のみしか店舗用資金として確保できない結果となる。
【００２５】
このため、本発明に係る貨幣入金機では、３００枚の貨幣からなる店舗用資金を確保できるように貨幣を収納するよう構成している。具体的には、図１（ｂ）に示すように、まず２００枚の貨幣を一時保留部ａに保留させ、この一時保留部ａ内の貨幣を貨幣カセットＡに自動的に収納（以下、単に「自動移行」と言う）させる。その後、あらためて１００枚の貨幣を一時保留部ａに保留させ、５０枚の貨幣を一時保留部ｂに保留させる。そして、一時保留部ａの１００枚の貨幣を貨幣カセットＡに自動移行させるとともに、一時保留部ｂの５０枚の貨幣を貨幣カセットＢに自動移行させる。
【００２６】
これにより、３００枚の貨幣を店舗用資金として貨幣カセットＡに確保できるとともに、５０枚の貨幣を警備回収として貨幣カセットＢに収納できる。このため、その後に売上金の入金がなかったとしても、あらかじめ設定された３００枚の店舗用資金を確保することが可能となる。
【００２７】
なお、ここでは説明の便宜上、店舗用資金としての貨幣を優先して確保する場合を示したが、警備回収する貨幣の枚数を優先して確保することもできる。また、ここでは貨幣の金種に関する説明を省略したが、複数の金種の貨幣をそれぞれ特定の枚数分確保する場合に適用することもできる。また、ここでは一時保留部ａ，ｂ内の貨幣をそれぞれ貨幣カセットＡ，Ｂに自動移行する場合を示したが、操作員による所定の操作によって移行するよう構成することもできる。
【実施例】
【００２８】
次に、上記に説明した本発明を売上金入金機１００に適用した場合の実施例について説明する。この売上金入金機１００は、店舗のバックヤード等に設置され、店舗に配設されたレジ等に所在する売上金の入金を受け付ける装置である。なお、以下では店舗用資金として３００枚の１０００円札紙幣と３００枚の１００円硬貨を優先して確保する場合を示すこととするが、本発明はこれに限定されるものではない。
【００２９】
＜売上金入金機の外観構成＞
まず、本実施例に係る売上金入金機１００の外観構成について説明する。図２は、本実施例に係る売上金入金機１００の外観構成を示す斜視図である。同図に示すように、売上金入金機１００は、表示操作部７３、ＩＣカードリーダ７１、レシートプリンタ７２、硬貨投入部１１０、紙幣投入部１０、紙幣リジェクト部４１、紙幣スタッカ４２及び硬貨リジェクト部１４１を有する。
【００３０】
表示操作部７３は、売上金入金機１００の最上部に設けられ、各種処理に係る画面表示を行うとともにレジ担当者又は回収担当者による操作入力を受け付けるタッチ式のディスプレイである。ＩＣカードリーダ７１は、レジ担当者又は回収担当者の担当者カードなどのＩＣカードに記憶されたデータを読み取るカードリーダである。レシートプリンタ７２は、レシート等を印字する感熱式等の印字部である。
【００３１】
硬貨投入部１１０は、レジ担当者が硬貨を投入する投入部であり、紙幣投入部１０は、レジ担当者が紙幣を投入する投入部である。かかる硬貨投入部１１０及び紙幣投入部１０には、レジ担当者が持参する売上金をなす硬貨及び紙幣がそれぞれ投入される。
【００３２】
紙幣リジェクト部４１は、紙幣投入部１０に投入された紙幣のうち、金種の識別ができなかった紙幣が搬送される排出部である。紙幣スタッカ４２は、予め設定された所定の条件に合致する紙幣が搬送されるスタッカである。硬貨リジェクト部１４１は、硬貨投入部１１０に投入された硬貨のうち、金種の識別できなかった硬貨を排出する排出部である。
【００３３】
＜売上金入金機の売上金の入金時の動作＞
次に、売上金入金機１００の売上金の入金時の動作について説明する。ここでは、レジ担当者が、レジに配設された釣銭機等に所在する売上金を売上金入金機１００に入金する場合を示すこととするが、レジ担当者とは別の店員が売上金を売上金入金機１００に入金する場合にも適用することもできる。
【００３４】
まず、レジ担当者が、売上金入金機１００のＩＣカードリーダ７１に担当者カード（ＩＣカード）を翳すと、ＩＣカードリーダ７１は、この担当者カードに記憶されている担当者の識別情報を読み取り、この識別情報に基づいてレジ番号を特定する。なお、レジ担当者は、表示操作部７３からレジ番号等を直接入力することもできる。
【００３５】
その後、レジ担当者は、釣銭機等から回収した紙幣を紙幣投入部１０に投入するとともに、釣銭機等から回収した硬貨を硬貨投入部１１０に投入し、表示操作部７３を用いて貨幣入金の指示操作を行う。売上金入金機１００は、貨幣入金の指示操作を受け付けると、紙幣投入部１０に投入された紙幣を繰り出して、紙幣の真贋及び金種の識別を行い、真券と判定された紙幣の金種別の枚数を計数する。また、硬貨投入部１１０に投入された硬貨を繰り出して、硬貨の真贋及び金種の識別を行い、真貨と判定された硬貨の金種別の枚数を計数する。
【００３６】
紙幣及び硬貨の計数処理が行われると、売上金入金機１００は、表示操作部７３に計数処理結果を表示し、表示した内容により入金処理を行う旨の操作（承認操作）を受け付けると、計数された紙幣及び硬貨をそれぞれ紙幣カセット及び硬貨カセットに収納する。なお、かかる入金処理において、３００枚の１０００円札紙幣と３００枚の１００円硬貨が店舗用資金として優先的に確保される。つまり、３００枚の１０００円札紙幣が紙幣カセット５３に優先的に収納され、３００枚を超える１０００円札紙幣及び他の金種の紙幣が紙幣カセット５４に収納される。また、３００枚の１００円硬貨が硬貨カセット１５３に優先的に収納され、３００枚を超える１００円硬貨及び他の金種の硬貨が硬貨カセット１５４に収納される。
【００３７】
その後、入金データを図示しない入金履歴データに登録する。また、売上金入金機１００は、レジ担当者及び回収元のレジ番号を含む認証情報と、入金データとを含むレシート（入金結果明細）を発行する。
【００３８】
このように、売上金入金機１００は、担当者カードを受け付けて回収元のレジ番号を特定し、貨幣を受け付けて、受け付けた貨幣の金種を識別するとともに金種別の枚数を計数する。具体的には、図３に示すような計数画面が表示操作部７３に表示される。そして、店舗用資金（３００枚の１０００円札紙幣及び３００枚の１００円硬貨）を優先的に確保し、レジ番号及び入金データを入金履歴データに登録するとともに、これらの内容を含むレシートを発行する。
【００３９】
＜売上金入金機の内部構成及び動作＞
次に、図２に示した売上金入金機１００の内部構成及び動作について説明する。図４は、図２に示した売上金入金機１００の内部構成を示す図である。
【００４０】
まず、紙幣の入金処理に関する部分について説明する。紙幣投入部１０に投入された紙幣は、搬送部３０により紙幣の金種の識別を行う識別部２０に搬送される。識別部２０は、搬送された紙幣の画像等を取得するイメージスキャナを含む。識別部２０で識別された紙幣は、搬送部３０により、紙幣リジェクト部４１、紙幣スタッカ４２、一時保留部４３又は一時保留部４４に搬送される。紙幣リジェクト部４１には、識別部２０で金種の識別ができなかった紙幣が搬送される。また、一時保留部４３及び４４の下方向には、それぞれ紙幣カセット５３及び５４が配設される。一時保留部４３に一時保留された紙幣は紙幣カセット５３に自動収納され、一時保留部４４に一時保留された紙幣は紙幣カセット５４に自動収納される。なお、一時保留部４３、４４を含む保留ユニットを装置手前に引き出すと、一時保留部４３及び４４に一時保留された紙幣が取り出し可能となる。
【００４１】
ここで、紙幣カセット５３が３００枚の１０００円札紙幣を店舗用資金として収納し、紙幣カセット５４が３００枚を超える１０００円札紙幣及び他の金種の紙幣を警備回収資金として収納するよう設定され、この紙幣カセット５３に対応する一時保留部４３に優先して１０００円札紙幣が保留される。例えば、３５０枚の１０００円札紙幣が入金され、そのうちの３００枚を店舗用資金として紙幣カセット５３に収納する場合には、まず一時保留部４３に収納可能な枚数（ここでは、「２００枚」とする）の１０００円札紙幣を一時保留部４３に保留させ、この一時保留部４３に保留した２００枚の１０００円札紙幣を紙幣カセット５３に自動移行した後に、再度一時保留部４３に１００枚の１０００円札紙幣を保留させ、この紙幣を紙幣カセット５３に自動移行することで、あらかじめ定められた３００枚の１０００円札紙幣を店舗用資金として紙幣カセット５３に収納する。なお、３５０枚の１０００円札紙幣が存在する場合には、５０枚の１０００円札紙幣が一時保留部４４に保留され、この紙幣を紙幣カセット５４に自動移行することで、警備回収用の５０枚の１０００円札紙幣が紙幣カセット５４に収納されることになる。
【００４２】
次に、硬貨の入金処理に関する部分について説明する。硬貨投入部１１０に投入された硬貨は、硬貨識別部１２０に受け渡される。硬貨識別部１２０は、硬貨投入部１１０から繰り出された硬貨の金種の識別を行う。硬貨識別部１２０により識別処理の行われた硬貨は、３個の振分機構を有する硬貨搬送部１３０により硬貨リジェクト部１４１、硬貨一時保留部１４３、１４４のいずれかに搬送される。
【００４３】
硬貨リジェクト部１４１には、硬貨識別部１２０で金種の識別ができなかった硬貨が搬送される。硬貨一時保留部１４３、１４４には、硬貨識別部１２０で金種の識別ができた硬貨が振り分けられる。例えば、３５０枚の１００円硬貨が存在する場合には、硬貨一時保留部１４３に３００枚の１００円硬貨が店舗用資金として振り分けられ、硬貨一時保留部１４４に５０枚の１００円硬貨が店舗用資金として振り分けられる。なお、他の金種の硬貨が存在する場合には、硬貨一時保留部１４４に振り分けられる。
【００４４】
また、硬貨一時保留部１４３、１４４の下方向には、返却の指示を受け付けて硬貨一時保留部１４３、１４４に搬送された硬貨を返却するための硬貨返却箱１４５、１４６がそれぞれ配置され、計数済みの硬貨が硬貨一時保留部１４３、１４４に一時保留されている状態で計数済み硬貨の返却指示操作を受け付けると、硬貨一時保留部１４３、１４４に一時保留されている硬貨は硬貨返却箱１４５、１４６に移される。また、硬貨返却箱１４５、１４６よりもさらに下方向には、収納の指示を受け付けて硬貨一時保留部１４３、１４４に搬送された硬貨を収納するための硬貨カセット１５３、１５４が配設される。硬貨一時保留部１４３に一時保留された硬貨は硬貨カセット１５３に収納され、硬貨一時保留部１４４に一時保留された硬貨は硬貨カセット１５４に収納される。なお、硬貨返却箱１４５、１４６を含む硬貨保留ユニットを装置手前に引き出すと、硬貨返却箱１４５、１４６に搬送されている硬貨が取り出し可能となる。なお、硬貨カセット１５３に収納された硬貨は店舗用資金として利用され、硬貨カセット１５４に収納された硬貨は警備回収硬貨として回収され、現金センタに搬送される。
【００４５】
ここで、例えば３５０枚の１００円硬貨が存在する場合には、この硬貨カセット１５３に対応する硬貨一時保留部１４３に優先して３００枚の１００円硬貨が保留される。ただし、この硬貨一時保留部１４３には２００枚の硬貨しか保留することができないため、まず硬貨一時保留部１４３に２００枚の１００円硬貨を保留させ、この硬貨一時保留部１４３に保留した２００枚の１００円硬貨を硬貨カセット１５３に自動移行した後に、再度硬貨一時保留部１４３に１００枚の１００円硬貨を保留させ、この硬貨を硬貨カセット１５３に自動移行することで、あらかじめ定められた３００枚の１００円硬貨を店舗用資金として硬貨カセット１５３に収納する。なお、５０枚の１００円硬貨が硬貨一時保留部１４４に保留され、この硬貨を硬貨カセット１５４に自動移行することで、警備回収用の５０枚の１００円硬貨が硬貨カセット１５４に収納される。なお、他の金種の硬貨についても硬貨カセット１５４に収納される。
【００４６】
また、売上金入金機１００は、上部ユニット１０１、下部ユニット１０２からなる。売上金入金機１００に収納された貨幣を回収する権限を有する回収担当者によって所定の操作が行われると、電磁ロックが解除され、紙幣カセット５３、５４及び硬貨カセット１５３、１５４を含む下部ユニット１０２が引き出し可能となる。下部ユニット１０２を引き出して、紙幣カセット５３、５４及び硬貨カセット１５３、１５４を取り出すことができる。警送会社や店舗等の回収担当者が、下部ユニット１０２を引き出して、警備回収用の紙幣カセット５４及び硬貨カセット１５４を取り出して現金センタ等に持ち出すことになる。
【００４７】
＜売上金入金機の機能的な内部構成＞
次に、図２に示した売上金入金機１００の機能的な内部構成を説明する。図５は、図２に示した売上金入金機１００の機能ブロック図である。売上金入金機１００には、オブション機器として通帳プリンタ８０等を接続することができる。通帳プリンタ８０は、売上金入金機１００に売上金を入金した履歴を通帳式の記録媒体に出力するため出力機器である。
【００４８】
売上金入金機１００は、紙幣投入部１０、識別部２０、搬送部３０、紙幣リジェクト部４１、紙幣スタッカ４２、一時保留部４３、４４、紙幣カセット５３、５４、通信部７０、ＩＣカードリーダ７１、レシートプリンタ７２、表示操作部７３、硬貨投入部１１０、硬貨識別部１２０、硬貨搬送部１３０、硬貨リジェクト部１４１、硬貨一時保留部１４３、１４４、硬貨返却箱１４５、１４６、硬貨カセット１５３、１５４、記憶部９０及び制御部９１を有する。ここでは、図２に示されていない部分を中心に説明する。通信部７０は、通信線及び通信網を介して他の装置とデータ通信を行うためのインターフェース部である。
【００４９】
記憶部９０は、ハードディスク装置や不揮発性メモリ等の記憶デバイスであり、設定データ９０ａ及び在高データ９０ｂを記憶する。設定データ９０ａは、一時保留部４３，４４に保留可能な紙幣の枚数（ここでは、「２００枚」とする）、硬貨一時保留部１４３，１４４に保留可能な硬貨の枚数（ここでは、「２００枚」とする）、優先する紙幣カセット５３又は５４（ここでは、紙幣カセット５３が優先設定されているものとする）、優先する硬貨カセット１５３又は１５４（ここでは、硬貨カセット１５３が優先設定されているものとする）、紙幣カセット５３に確保する紙幣の枚数（ここでは、「３００枚の１０００円札紙幣」とする）、硬貨カセット１５３又は１５４に確保する硬貨の枚数（ここでは、「３００枚の１００円硬貨」とする）を含むデータである。在高データ９０ｂは、紙幣カセット５３，５４に収納されている紙幣の枚数及び硬貨カセット１５３，１５４に収納されている硬貨の枚数のデータである。
【００５０】
制御部９１は、売上金入金機１００の全体を制御する制御部であり、認証処理部９１ａ、入金処理部９１ｂ、回収処理部９１ｃ及び集計処理部９１ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００５１】
認証処理部９１ａは、操作者であるレジ担当者又は回収担当者の認証処理を行う。具体的には、ＩＣカードリーダ７１により担当者カードからレジ担当者又は担当者の識別情報を読み取り、売上金の入金処理若しくは入金された貨幣を取り出す回収処理の権限の有無を判定する。
【００５２】
入金処理部９１ｂは、表示操作部７３に売上金の入金処理に係る画面の表示制御を行い、表示操作部７３にて入金処理が選択された場合に、紙幣投入部１０で受け付けた紙幣の金種の識別及び金種別の枚数の計数と、硬貨投入部１１０で受け付けた硬貨の金種の識別及び金種別の枚数の計数とを実施して、貨幣の計数結果を表示操作部７３に表示する。
【００５３】
例えば、紙幣投入部１０で３５０枚の１０００円札紙幣を受け付けた場合には、そのうちの２００枚を一時保留部４３に保留させ、紙幣カセット５３に自動移行させた後に、あらためて１００枚を一時保留部４３に保留させ、紙幣カセット５３に自動移行させることで、紙幣カセット５３に３００枚の１０００円札紙幣を収納させることになる。なお、残り５０枚の１０００円札紙幣は、一時保留部４４に保留し、紙幣カセット５４に自動移行させる。なお、ここでは一時保留部４３，４４内の紙幣を紙幣カセット５３，５４に自動移行させることとするが、貨幣の計数後に表示操作部７３で計数済みの貨幣の入金を指示する操作（承認操作）を受け付けた後に、一時保留部４３，４４内の紙幣を紙幣カセット５３，５４に収納することもできる。硬貨についても同様であるため、ここではその詳細な説明を省略する。
【００５４】
なお、入金処理部９１ｂは、当該入金処理で収納した貨幣に係る情報を在高データ９０ｂに加算するとともに、入金結果明細をレシートプリンタ７２で印刷する。また、通帳プリンタ８０が接続されている場合には、レシートプリンタ７２に出力する内容を通帳形式の媒体に出力することができる。
【００５５】
回収処理部９１ｃは、回収処理の操作権限がある場合に回収処理操作を受け付ける。回収処理操作を受け付けると、回収処理部９１ｃは、下部ユニット１０２を装置から引き出し可能に電磁ロックの解除を行う。また、回収処理部９１ｃは、下部ユニット１０２から、紙幣カセット５３，５４、及び、硬貨カセット１５３，１５４の抜き取りが検知されると在高データ９０ｂを初期化する。
【００５６】
集計処理部９１ｄは、表示操作部７３により集計指示操作を受け付けると、入金データの集計処理を行って、集計結果を表示操作部７３若しくはレシートプリンタ７２に出力する。また、通信部７０を介して、上位の管理コンピュータや併設される他の売上金入金機と通信可能となっている。
【００５７】
＜売上金入金機の入金処理手順＞
次に、図２に示した売上金入金機１００の処理手順について説明する。図６は、図２に示した売上金入金機１００の処理手順を示すフローチャートである。同図に示すように、レジ担当者の担当者カードがＩＣカードリーダ７１に翳されると、ＩＣカードリーダ７１により担当者カードに記録されたデータが読み取られ、読み取られたデータ（担当者の識別情報）を用いて認証処理部９１ａが認証処理を行う（ステップＳ１０１）。具体的には、レジ担当者が、売上金入金機１００において入金処理を行う権限があるか否かを判定する。
【００５８】
その結果、権限があると判定された場合には、入金処理を可能にするために、入金処理の初期画面を表示操作部７３に表示する（ステップＳ１０２）。なお、ここでは説明の便宜上図示省略したが、権限がないと判定された場合には、その旨を表示して処理を終了する。
【００５９】
また、ステップＳ１０２で表示された初期画面において、スタートボタンの押下操作を受け付けた場合には（ステップＳ１０３；Ｙｅｓ）、紙幣投入部１０に投入された紙幣の計数処理及び硬貨投入部１１０に投入された硬貨の計数処理をそれぞれ行い（ステップＳ１０４）、図３に示したように計数結果が表示操作部７３に表示される。また、紙幣の計数処理を行ったならば、一時保留部４３，４４を介して紙幣を紙幣カセット５３，５４に収納し、硬貨の計数処理を行ったならば、硬貨一時保留部１４３，１４４を介して硬貨を硬貨カセット１５３，１５４に収納する貨幣収納処理を行う（ステップＳ１０５）。なお、この貨幣収納処理の詳細な処理手順については後述する。
【００６０】
その後、ステップＳ１０５で収納した貨幣の枚数を在高データ９０ｂに加算した後（ステップＳ１０６）、入金処理部９１ｂは、入金処理結果を図示しない入金履歴データに登録し（ステップＳ１０７）、入金処理結果を印字したレシートをレシートプリンタ７２から発行して（ステップＳ１０８）、処理を終了する。
【００６１】
＜紙幣収納処理手順＞
次に、図６のステップＳ１０５に示した貨幣収納処理手順について説明する。図７は、図６のステップＳ１０５に示した貨幣収納処理手順を示すフローチャートである。ここでは、紙幣の収納処理手順について説明するが、硬貨の処理手順についても同様となる。
【００６２】
図７に示すように、紙幣投入部１０に投入され、一枚ずつ繰り出された紙幣の金種が、店舗用資金として設定された金種（ここでは、１０００円札紙幣）であるか否かを判定し（ステップＳ２０１）、該当する金種ではない場合には（ステップＳ２０１；Ｎｏ）、警備回収に用いる一時保留部４４に紙幣を保留する（ステップＳ２０２）。
【００６３】
これに対して、該当する金種である場合には（ステップＳ２０１；Ｙｅｓ）、店舗用資金を保留する一時保留部４３に保留可能であるか否かを判定する（ステップＳ２０３）。具体的には、一時保留部４３に２００枚の紙幣が保留されている場合には、一時保留部４３への保留が不可となる。
【００６４】
その結果、一時保留部４３に保留可能ではない場合には（ステップＳ２０３；Ｎｏ）、一時保留部４３内の紙幣を紙幣カセット５３に自動移行し（ステップＳ２０４）、一時保留部４３に保留可能である場合には（ステップＳ２０３；Ｙｅｓ）、ステップＳ２０５に移行する。
【００６５】
その後、店舗用資金が未だ不足しているか否かを判定する（ステップＳ２０５）。すなわち、店舗用資金が３００枚の１０００円札と設定されている場合に、一時保留部４３内の紙幣の枚数と紙幣カセット５３内の紙幣の枚数の合計枚数が３００枚に満たないか否かを判定することになる。
【００６６】
その結果、すでに店舗用資金が不足していない場合には（ステップＳ２０５；Ｎｏ）、警備回収に用いる一時保留部４４に紙幣を保留して（ステップＳ２０２）、ステップＳ２０７に移行する。一方、依然として店舗用資金が不足している場合には（ステップＳ２０５；Ｙｅｓ）、店舗用資金を保留する一時保留部４３に紙幣を保留する（ステップＳ２０６）。
【００６７】
そして、未処理の紙幣が存在するか否かを確認し（ステップＳ２０７）、未処理の紙幣が存在する場合には（ステップＳ２０７；Ｎｏ）、ステップＳ２０１に移行して同様の処理を繰り返す。一方、全ての紙幣を処理した場合には（ステップＳ２０７；Ｙｅｓ）、一時保留部４３，４４内の紙幣をそれぞれ紙幣カセット５３，５４に自動移行し（ステップＳ２０８）、処理を終了する。
【００６８】
上記一連の処理を行うことにより、店舗用資金としての３００枚の１０００円紙幣を店舗用資金として紙幣カセット５３に収納し、３００枚を超える１０００円札及び他の金種の紙幣を警備回収用の紙幣カセット５４に収納することが可能となる。
【００６９】
上述してきたように、本実施例では、２００枚の１０００円札紙幣を一時保留部４３に保留させ、この一時保留部４３内の紙幣を紙幣カセット５３に自動移行させ、あらためて１００枚の１０００円札紙幣を一時保留部４３に保留させ、５０枚の１０００円札紙幣を一時保留部４４に保留させる。そして、一時保留部４３の１００枚の貨幣を紙幣カセット５３に自動移行させるとともに、一時保留部４４の５０枚の紙幣を紙幣カセット５４に自動移行させる。これにより、３００枚の１０００円札紙幣を店舗用資金として紙幣カセット４３に確保できるとともに、５０枚の１０００円札紙幣及び他の金種の紙幣を警備回収用資金として紙幣カセット５４に収納できる。このため、その後に売上金の入金がなかったとしても、あらかじめ設定された３００枚の１０００円札紙幣を店舗用資金として確保することが可能となる。
【００７０】
なお、本実施例では、３００枚の１０００円札紙幣と３００枚の１００円硬貨を店舗用資金として紙幣カセット５４及び硬貨カセット１５４に確保する場合を示したが、本発明はこれに限定されるものではなく、紙幣及び硬貨の複数の金種ごとに店舗用資金の枚数を設定する場合に適用することもできる。
【００７１】
また、本実施例では、２つの一時保留部のうちの一方の一時保留部を固定的に優先する場合を示したが、本発明はこれに限定されるものではなく、複数の一時保留部のうち貨幣の保留を優先する一時保留部を切り換える切換部を設け、優先すべき一時保留部を切り換えることもできる。
【００７２】
また、本実施例では、店舗用資金を優先して確保する場合を示したが、本発明はこれに限定されるものではなく、警備回収用資金等の他の用途の資金を優先して確保する場合に適用することもできる。
【００７３】
また、本実施例では、一時保留部と貨幣カセットを１対１で設けた場合を示したが、本発明はこれに限定されるものではなく、１つの一時保留部がＮ個の貨幣カセットに対応する場合、Ｍ個の一時保留部が１つの貨幣カセットに対応する場合、Ｍ個の一時保留部がＮ個の貨幣カセットに対応する場合にも適用することができる。また、本実施例では、貨幣カセットに貨幣を収納する場合を示したが、本体から着脱可能な貨幣カセットではなく、固定的に設けられた貨幣収納部を配設した場合に本発明を適用することもできる。さらに、本実施例では、紙幣及び硬貨を含む貨幣を収納する場合を示したが、本発明はこれに限定されるものではなく、商品券等の有価媒体を収納する場合に適用することも可能である。
【００７４】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００７５】
本発明の貨幣入金機及び貨幣入金方法は、複数の貨幣収納部を有し、特定の用途に使用される貨幣を優先的かつ効率的に貨幣収納部内に確保する場合に有用である。
【符号の説明】
【００７６】
１０  紙幣投入部
２０  識別部
３０  搬送部
４１  紙幣リジェクト部
４２  紙幣スタッカ
４３、４４  一時保留部
５３、５４  紙幣カセット
７０  通信部
７１  ＩＣカードリーダ
７２  レシートプリンタ
７３  表示操作部
８０  通帳プリンタ
９０  記憶部
９０ａ  設定データ
９０ｂ  在高データ
９１  制御部
９１ａ  認証処理部
９１ｂ  入金処理部
９１ｃ  回収処理部
９１ｄ  集計処理部
１００  売上金入金機
１０１  上部ユニット
１０２  下部ユニット
１１０  硬貨投入部
１２０  硬貨識別部
１３０  硬貨搬送部
１４１  硬貨リジェクト部
１４３、１４４  硬貨一時保留部
１４５、１４６  硬貨返却箱
１５３、１５４  硬貨カセット
【図１】
2018010534.tif 000003
【図２】
2018010534.tif 000004
【図３】
2018010534.tif 000005
【図４】
2018010534.tif 000006
【図５】
2018010534.tif 000007
【図６】
2018010534.tif 000008
【図７】
2018010534.tif 000009